(57)【要約】【課題】簡易な構成で、外部装置への電源供給に対応しながら省電力化を図る。【解決手段】ＵＳＢデバイス４への電力供給が可能なＵＳＢコネクター３３２と、ＵＳＢコネクター３３２が供給する電力を生成する電源部５０と、動作モードが通常モードで、電源部５０が生成する電力Ｗ４をＵＳＢコネクター３３２に供給し、動作モードが省電力モードで、電力Ｗ４より低電力の電力Ｗ２の供給を受けて電力Ｗ２のＵＳＢコネクター３３２への供給を制御する制御部１００とを備える。【選択図】図２
2016134059.tif 000002
【特許請求の範囲】
【請求項１】
外部装置への電力供給が可能な接続部と、
前記接続部が供給する電力を生成する電源部と、
動作モードが第１のモードで、前記電源部が生成する第１の電力を前記接続部に供給し、動作モードが第２のモードで、前記第１の電力より低電力の第２の電力の供給を受けて前記第２の電力の前記接続部への供給を制御する制御部と、
を備えることを特徴とする電源装置。
【請求項２】
前記外部装置の前記接続部への接続を検出する検出部を備え、
前記制御部は、前記第２のモードにおいて、前記検出部が前記接続部への前記外部装置の接続を検出すると、動作モードを前記第２のモードから前記第１のモードに変更して、前記第１の電力を前記接続部に供給させる、
ことを特徴とする請求項１記載の電源装置。
【請求項３】
前記第１の電力の生成に使用する電力を前記電源部へ供給及び遮断するスイッチを備え、
前記制御部は、前記第２のモードに移行する際に、前記スイッチを制御して、前記接続部への前記第１の電力を遮断する、
ことを特徴とする請求項１又は２記載の電源装置。
【請求項４】
イーサネットの通信を行う通信部を備え、
前記制御部は、前記第２のモードにおいて、前記通信部を、ＬＰＩ（Ｌｏｗ Ｐｏｗｅｒ Ｉｄｌｅ）に設定する、
ことを特徴とする請求項１から３のいずれか一項に記載の電源装置。
【請求項５】
前記電源部は、供給される電圧を降圧して、前記第１の電力を生成するＤＣ−ＤＣコンバーターを備える、
ことを特徴とする請求項１から４のいずれか一項に記載の電源装置。
【請求項６】
記録媒体に印刷を実行する印刷部と、
制御装置から印刷データを受信する通信処理部と、
前記通信処理部が受信した前記印刷データに基づき印刷部に印刷を実行させる主制御部と、を備え、
前記通信処理部は、
外部装置に接続して前記外部装置への電力供給が可能な接続部と、
前記接続部が供給する電力を生成する電源部と、
動作モードが第１のモードで、前記電源部が生成する第１の電力を前記接続部に供給し、動作モードが第２のモードで、前記第１の電力より低電力の第２の電力の供給を受けて前記第２の電力の前記接続部への供給を制御する制御部と、
を備えることを特徴とする印刷装置。
【請求項７】
外部装置への電力供給が可能な接続部と、前記接続部から供給する電力を生成する電源部とを備える電源装置の制御方法であって、
動作モードが第１のモードで、前記電源部が生成する第１の電力を前記接続部に供給し、動作モードが第２のモードで、前記第１の電力より低電力の第２の電力の供給を受けて前記第２の電力の前記接続部への供給を制御する、
ことを特徴とする電源装置の制御方法。
【発明の詳細な説明】
【技術分野】
【０００１】
本発明は、電源装置、印刷装置、及び、電源装置の制御方法に関する。
【背景技術】
【０００２】
通常モードと、通常モードよりも消費電力を抑制する省電力モードとを備えた装置が知られている（例えば、特許文献１参照）。特許文献１は、電力を供給する主電源部と、主電源部から供給される電力を蓄積する予備電源部とを備え、節電モード（省電力モード）に移行すると、予備電源部が主電源部に代わって電力を供給する電子機器を開示する。
【先行技術文献】
【特許文献】
【０００３】
【特許文献１】特開２０１４−１６７６８６号公報
【発明の概要】
【発明が解決しようとする課題】
【０００４】
ところで、電源装置においても消費電力の削減に対する要求は高い。しかしながら、特許文献１の電子機器のように予備電源を備える構成では、装置の構成が大型化し、装置の費用が高価になる。また、外部装置への電源供給が可能な電源装置の場合、外部装置への電源供給に対応しながら、省電力化を図る必要がある。
本発明は、上記事情に鑑みてなされたものであり、簡易な構成で、外部装置への電源供給に対応しながら省電力化を図ることが可能な電源装置、印刷装置、及び、電源装置の制御方法を提供することを目的とする。
【課題を解決するための手段】
【０００５】
上記目的を達成するために、本発明の電源装置は、外部装置への電力供給が可能な接続部と、前記接続部が供給する電力を生成する電源部と、動作モードが第１のモードで、前記電源部が生成する第１の電力を前記接続部に供給し、動作モードが第２のモードで、前記第１の電力より低電力の第２の電力の供給を受けて前記第２の電力の前記接続部への供給を制御する制御部とを備えることを特徴とする。
本発明によれば、簡易な構成で、外部装置への電源供給に対応しながら省電力化を図ることが可能となる。
【０００６】
また、本発明は、上記電源装置において、前記外部装置の前記接続部への接続を検出する検出部を備え、前記制御部は、前記第２モードにおいて、前記検出部が前記接続部への前記外部装置の接続を検出すると、動作モードを前記第２のモードから前記第１のモードに変更して、前記第１の電力を前記接続部に供給させることを特徴とする。
本発明によれば、接続された外部装置に供給する電力が大きく、電力不足により電源装置がシャットダウンしてしまう前に、第１の電力の供給を再開することができる。
【０００７】
また、本発明は、上記電源装置において、前記第１の電力の生成に使用する電力を前記電源部へ供給及び遮断するスイッチを備え、前記制御部は、前記第２のモードに移行する際に、前記スイッチを制御して、前記接続部への前記第１の電力を遮断することを特徴とする。
本発明によれば、通信部が第２のモードに移行した場合に、第１の電力の供給が遮断されるので、消費電力を削減することができる。
【０００８】
また、本発明は、上記電源装置において、イーサネットの通信を行う通信部を備え、前記制御部は、前記第２のモードにおいて、前記通信部を、ＬＰＩ（Ｌｏｗ Ｐｏｗｅｒ Ｉｄｌｅ）に設定することを特徴とする。
本発明によれば、通信部の第２のモードにおける消費電力を削減することができる。
【０００９】
また、本発明は、上記電源装置において、前記電源部は、供給される電圧を降圧して、前記第１の電力を生成するＤＣ−ＤＣコンバーターを備えることを特徴とする。
本発明によれば、簡易な構成で、電圧変換を行うことができ、また、電圧変換を高効率で行うことができる。
【００１０】
本発明の印刷装置は、記録媒体に印刷を実行する印刷部と、制御装置から印刷データを受信する通信処理部と、前記通信処理部が受信した前記印刷データに基づき印刷部に印刷を実行させる主制御部と、を備え、前記通信処理部は、外部装置に接続して前記外部装置への電力供給が可能な接続部と、前記接続部が供給する電力を生成する電源部と、動作モードが第１のモードで、前記電源部が生成する第１の電力を前記接続部に供給し、動作モードが第２のモードで、前記第１の電力より低電力の第２の電力の供給を受けて前記第２の電力の前記接続部への供給を制御する制御部と、を備えることを特徴とする。
本発明によれば、簡易な構成で、外部装置への電源供給に対応しながら省電力化を図ることが可能となる。
【００１１】
本発明の電源装置の制御方法は、外部装置への電力供給が可能な接続部と、前記接続部から供給する電力を生成する電源部とを備える電源装置の制御方法であって、動作モードが第１のモードで、前記電源部が生成する第１の電力を前記接続部に供給し、動作モードが第２のモードで、前記第１の電力より低電力の第２の電力の供給を受けて前記第２の電力の前記接続部への供給を制御することを特徴とする。
本発明によれば、簡易な構成で、外部装置への電源供給に対応しながら省電力化を図ることが可能となる。
【図面の簡単な説明】
【００１２】
【図１】印刷システムのシステム構成図。
【図２】サブ基板の構成図。
【図３】検出回路の構成図。
【図４】制御部の動作手順を示すフローチャート。
【図５】検出回路及び電源部の動作タイミングを示す図。
【発明を実施するための形態】
【００１３】
以下、図面を参照して本発明の実施形態について説明する。
図１は、印刷システム１のシステム構成図である。
印刷システム１は、印刷装置２と、印刷装置２と通信を行って、印刷装置２に印刷を行わせる制御装置３とを備える。印刷装置２と、制御装置３とは、イーサネット（Ethernet（登録商標））の規格に準拠したネットワーク５を介して通信可能に接続される。また、印刷装置２は、外部装置（以下、外部装置をＵＳＢデバイスとして説明する）４が接続可能である。
制御装置３は、印刷データ作成用のアプリケーションとプリンタードライバーとを搭載している。制御装置３は、ユーザーの指示等をトリガーとして印刷装置２が印刷する画像や文字の情報を生成する。制御装置３は、生成した画像や文字の情報に基づいて、印刷装置２が解釈可能なコマンド体系の制御データを生成する。制御装置３は、生成した制御データを、ネットワーク５を介して印刷装置２に送信する。印刷装置２は、制御装置３から受信した制御データに基づいて印刷用紙に画像を印刷する。
【００１４】
印刷装置２は、メイン基板１０と、拡張ボードとしてのサブ基板３０とを備える。
メイン基板１０は、主制御部１１、不揮発性メモリー１２、バッファメモリー１３、印刷部１４、電源回路１５を搭載する。
主制御部１１は、印刷エンジンとして印刷動作を制御するとともに、印刷装置２の各部を中枢的に制御する。不揮発性メモリー１２は、主制御部１１が実行するプログラムや各種データ等を記憶する。バッファメモリー１３は、制御装置３から受信したデータを一時的に記憶する。印刷部１４は、主制御部１１の制御に基づいて、記録媒体に印刷を行うためのハードウェアを備える。
【００１５】
電源回路１５は、商用の交流電力を直流電力Ｗ１に変換するＡＣアダプター７に接続する。電源回路１５は、ＡＣアダプター７から入力される直流電力Ｗ１（例えば、電圧２４Ｖ、電流１００ｍＡ）の電圧Ｖ１を電圧Ｖ２（例えば、５Ｖ）に変換する。電源回路１５は、電圧変換した直流電力Ｗ２（例えば、電圧５Ｖ、電流１００ｍＡ）をメイン基板１０の各部に供給する。また、電源回路１５は、直流電力Ｗ２（第２の電力）をサブ基板３０に供給する。サブ基板３０は、ＡＣアダプター７から直流電力Ｗ１の供給も受ける。以下、直流電力Ｗ１を電力Ｗ１と表記し、直流電力Ｗ２を電力Ｗ２と表記する。
【００１６】
メイン基板１０は、ＵＩＢ（Universal Interface Board）コネクター１７を実装し、サブ基板３０は、ＵＩＢコネクター１７を介してメイン基板１０に着脱可能に取り付けられる。サブ基板３０は、メイン基板１０の主制御部１１が、制御装置３とデータのやりとりを行うための拡張ボードである。サブ基板３０には、通信処理部３５が搭載される。図１には、サブ基板３０に通信処理部３５を搭載した構成を示すが、サブ基板３０には、通信処理部３５以外の他の機能部を搭載することも可能である。通信処理部３５は、電源装置を構成する。
【００１７】
図２は、サブ基板３０の電源供給を主とした構成図である。
サブ基板３０の通信処理部３５は、電源部５０、電子部品３１、第１通信部３３、第２通信部３４、検出回路（検出部）３７、制御部１００を備える。電源部５０は、スイッチ５１、ＯＲゲート５２、第１電圧変換部５３、第２電圧変換部５４、第３電圧変換部５５、第４電圧変換部５６、ＯＲゲート５７を備える。第１通信部３３は、ＵＳＢコントローラー３３１と、ＵＳＢコネクター（接続部）３３２とを備える。第２通信部３４は、ＭＡＣ（Media Access Control）部３４１と、ＰＨＹ（Physical Layer)部３４２とを備える。
【００１８】
スイッチ５１は、制御部１００の制御に従い、ＡＣアダプター７が供給する電力Ｗ１の電源部５０への入力を制御する。制御部１００によりスイッチ５１がオフすると、電源部５０への電流の供給が遮断する。従って、電力Ｗ１の電源部５０への供給が遮断される。
【００１９】
ＯＲゲート５２は、電源回路１５が供給する電力Ｗ２を第１電圧変換部５３に出力する。また、ＯＲゲート５２は、スイッチ５１がオンされ、ＡＣアダプター７から電力Ｗ１が供給される場合、供給された電力Ｗ１を第１電圧変換部５３に出力する。すなわち、ＯＲゲート５２は、スイッチ５１がオンされた場合には、電力Ｗ１とＷ２との両方を第１電圧変換部５３に出力する。
【００２０】
第１電圧変換部５３、第２電圧変換部５４、第３電圧変換部５５及び第４電圧変換部５６は、ＤＣ−ＤＣコンバーターにより構成される。ＤＣ−ＤＣコンバーターには、リニアレギュレーター、チョッパー回路、スイッチングレギュレータ等、種々の回路を用いることができる。
【００２１】
第１電圧変換部５３は、スイッチ５１がオンし、ＯＲゲート５２を介して電力Ｗ１及びＷ２が入力される場合には、例えば、電力Ｗ１の電圧Ｖ１を使用して、電圧Ｖ１を電圧変換し、システム電源である電圧Ｖ３（例えば、３．３Ｖ）を生成する。また、第１電圧変換部５３は、電圧Ｖ２を電圧変換して、電圧Ｖ３を生成する。
また、第１電圧変換部５３は、スイッチ５１がオフして、電力Ｗ１の供給が遮断されると、電力Ｗ２の電圧Ｖ２を電圧変換して、電圧Ｖ３を生成する。
第１電圧変換部５３は、生成した電圧Ｖ３を、制御部１００、第２通信部３４、第２電圧変換部５４及び第３電圧変換部５５に出力する。制御部１００は、電圧Ｖ３を使用して第２通信部３４との制御を行う。また、第２通信部３４は、電圧Ｖ３を駆動電圧として動作する。
【００２２】
第２電圧変換部５４は、第１電圧変換部５３から入力される電圧Ｖ３を電圧変換して、電圧Ｖ４（例えば、１．５Ｖ）を生成する。第２電圧変換部５４は、生成した電圧Ｖ４を電子部品３１に供給する。電子部品３１には、例えば、データを記憶するＤＲＡＭ等のメモリーが含まれる。また、第２電圧変換部５４は、生成した電圧Ｖ４を制御部１００に供給する。制御部１００は、電圧Ｖ４を使用して、電子部品３１としてのメモリーへのデータ書き出し、及びメモリーからのデータの読み出しを行う。
【００２３】
第３電圧変換部５５は、第１電圧変換部５３から入力される電圧Ｖ３を電圧変換して、電圧Ｖ５（例えば、１．１Ｖ）を生成する。第３電圧変換部５５は、生成した電圧Ｖ５を制御部１００に供給する。制御部１００は、第３電圧変換部５５から供給される電圧Ｖ５により動作する。
【００２４】
第４電圧変換部５６は、ＡＣアダプター７から入力される電力Ｗ１の電圧Ｖ１を電圧変換（降圧）して、電圧Ｖ６、電流Ａ１の直流電力Ｗ３（以下、電力Ｗ３と表記する）を生成する。例えば、第４電圧変換部５６は、電圧５Ｖ、電流５５０ｍＡの電力Ｗ３を生成する。生成した電力Ｗ３は、ＯＲゲート５７に出力される。
【００２５】
ＯＲゲート５７には、メイン基板１０の電源回路１５から電力Ｗ２が入力され、スイッチ５１がオンの場合には、第４電圧変換部５６から電力Ｗ３も入力される。
ＯＲゲート５７は、電源回路１５から入力される電力Ｗ２を第１通信部３３のＵＳＢコントローラー３３１に出力する。また、ＯＲゲート５７は、スイッチ５１がオンされ、第４電圧変換部５６から電力Ｗ３が入力される場合には、入力された電力Ｗ３をＵＳＢコントローラー３３１に出力する。ＯＲゲート５７は、スイッチ５１がオンされた場合には、電力Ｗ３とＷ２との両方をＵＳＢコントローラー３３１に出力する。
【００２６】
ＯＲゲート５７と、ＵＳＢコントローラー３３１との間には、電流制限回路（不図示）が設けられる。電流制限回路は、第４電圧変換部５６からＵＳＢコントローラー３３１に供給される電力Ｗ３の電流を、例えば、５５０ｍＡから５００ｍＡに制限する。
【００２７】
ＵＳＢコントローラー３３１は、ＵＳＢコネクター３３２に接続され、制御部１００の制御に基づいて、ＵＳＢコネクター３３２に接続されたＵＳＢデバイス４とＵＳＢ規格に従った双方向のデータ通信を行う。ＵＳＢコネクター３３２は、ＵＳＢデバイス４をＵＳＢコントローラー３３１に接続するためのコネクターである。ＵＳＢコネクター３３２は、ＵＳＢデバイス４に電力の供給が可能なＵＳＢホストコネクターであり、例えば、５Ｖの電圧が接続されるＶＢＵＳ端子と、ＧＮＤ端子と、データラインとしてのＤ＋端子及びＤ−端子との４つの出力端子を備える。
【００２８】
スイッチ５１がオンの場合、ＵＳＢコントローラー３３１には、電圧Ｖ６、電流Ａ１の電力Ｗ３（第１の電力）と、電圧Ｖ２、電流Ａ２の電力Ｗ２との電力Ｗ４（電圧Ｖ７）が供給される。例えば、電力Ｗ２は、電圧５Ｖ、電流１００ｍＡで、０．５Ｗとなり、電力Ｗ３は、電圧５Ｖ、電流５００ｍＡで、２.５Ｗとなる。本実施形態では、メイン基板１０の電源回路１５から供給される電力Ｗ２は、第４電圧変換部５６から供給される電力Ｗ３よりも電力が低く、電流供給能力値が低い。
ＵＳＢコントローラー３３１は、この電力Ｗ２及びＷ３を、電力Ｗ４として、第１通信部３３の駆動電力として使用する。また、ＵＳＢコントローラー３３１は、ＵＳＢコネクター３３２にＵＳＢデバイス４が接続され、ＵＳＢホストコネクターとして機能する場合に、電力Ｗ４を、ＵＳＢコネクター３３２に供給する。具体的には、ＵＳＢコントローラー３３１は、ＵＳＢコネクター３３２の端子（ＶＢＵＳ端子と呼ぶ）に電圧Ｖ６及び電圧Ｖ２（５Ｖ）を印加して、ＵＳＢデバイス４に電力Ｗ３を供給する。ＶＢＵＳ端子は、ＵＳＢデバイス４と接続したＵＳＢケーブルの電源ライン（ＶＢＵＳ）に接続した端子である。
また、スイッチ５１がオフの場合、ＵＳＢコントローラー３３１には、電圧Ｖ２（５Ｖ）、電流Ａ２（１００ｍＡ）の電力Ｗ２が電力Ｗ４として供給される。ＵＳＢコントローラー３３１は、この電力Ｗ４を、第１通信部３３の駆動電力として使用する。また、ＵＳＢデバイス４が、ＵＳＢケーブルを介してＵＳＢコネクター３３２に接続された場合、後述するように、スイッチ５１がオンされ、ＵＳＢデバイス４には、電力Ｗ４として電力Ｗ２およびＷ３が供給される。また、ＵＳＢコントローラー３３１は、ＵＳＢコネクター３３２にＵＳＢデバイス４が接続されていない状態でも、電圧Ｖ２を仮の電圧としてＵＳＢコネクター３３２のＶＢＵＳ端子に印加する。これは、ＵＳＢのバスパワーで動作するＵＳＢデバイス４が、ＵＳＢコネクター３３２に接続された場合に対応するための電圧である。
【００２９】
第２通信部３４のＭＡＣ部３４１は、イーサネットのデータリンク層処理のコントローラーであり、ネットワーク５の規格に応じてデータをパケットに分割し、逆に、ネットワーク５を介して受信したパケットをデータに組み立てる処理を行う。
【００３０】
ＰＨＹ部３４２は、イーサネットの物理層を担うコントローラーである。ＰＨＹ部３４２は、符号化されたデータを通信ケーブルの信号規格に応じた信号に変換し、受信した信号を符号化する。また、ＰＨＹ部３４２は、ネットワーク５を監視して、予め設定された一定時間、例えば、制御装置３から印字に係わる制御データのパケットを受信していない状態を、ＬＰＩ（Low Power Idle）状態として検出する。ＰＨＹ部３４２は、ＬＰＩ状態を検出すると、ＬＰＩ状態の検出を示す信号（以下、第１検出信号と呼ぶ）を制御部１００に出力する。また、ＰＨＹ部３４２は、第１検出信号を制御部１００に出力した後に、制御データのパケットの受信を検出すると、パケットの受信を通知する信号（以下、第２検出信号と呼ぶ）を制御部１００に出力する。
【００３１】
制御部１００は、サブ基板３０に搭載された機能部を制御し、イーサネット規格に準拠した通信及びＵＳＢ規格に準拠した通信等を実現する。
通信処理部３５は、動作モードとして、通常モード（第１のモード）と、省電力モード（第２のモード）とを有する。通常モードは、サブ基板３０上のすべての構成への電源供給に制限が無く、サブ基板３０上のすべての構成が駆動状態又は駆動可能な状態にあるモードをいう。制御部１００は、通常モードでは、スイッチ５１をオンして、電源部５０に電力Ｗ１を供給可能とする。
また、省電力モードは、サブ基板３０上の一部の構成への電源供給を制限して、サブ基板３０の消費電力を削減するモードである。制御部１００は、例えば、第２通信部のＰＨＹ部３４２がＬＰＩ状態を検出すると、ＰＨＹ部３４２の上位層であるＭＡＣ部３４１に対して電力供給を停止させる、ＩＥＥＥ８０２．ａｚに規定されたＬＰＩと呼ばれる制御を行う。
また、制御部１００は、省電力モードでは、スイッチ５１をオフにして、電力Ｗ１の電源部５０への供給を停止し、通信処理部３５の電力消費を削減する。また、電力Ｗ１の電源部５０への供給が停止されたことで、電源部５０は、システム電源として必要な電圧Ｖ３（３．３Ｖ）や、ＵＳＢコネクター３３２のＶＢＵＳ端子に印加する電圧を、メイン基板１０の電源回路１５から供給される電力Ｗ２に基づいて生成する。
また、制御部１００は、省電力モードでは、通常モードのときの動作クロックよりも動作周波数の低い低速クロックにより動作し、消費電力が削減される。
【００３２】
検出回路３７は、ＵＳＢデバイス４のＵＳＢコネクター３３２への接続を検出する回路である。
第１通信部３３からの電力供給を受けて動作するＵＳＢデバイス４が動作に必要な電流は、ＵＳＢデバイス４ごとに異なる。例えば、ハードディスクやスキャナーなどの比較的消費電流の多い機器は５００ｍＡ程度の電流を必要とする。従って、ＵＳＢコントローラー３３１は、ＵＳＢコネクター３３２に接続したＵＳＢデバイスを認識する必要がある。しかし、ＶＢＵＳ、ＧＮＤの電源ラインだけを使用し、信号ラインＤ＋、Ｄ−を使用しない無線コンバーターのようなＵＳＢデバイス４が接続すると、ＵＳＢコントローラー３３１は、どのようなデバイスが接続したのかを認識することができない。
省電力モードにおいては、ＵＳＢコントローラー３３１に供給される電力は、電力Ｗ３よりも低い電力Ｗ２であるため、ＵＳＢデバイス４への電流の供給が不足した際、ＵＳＢデバイス４が正しく認識されない場合や、動作が不安定になる場合がある。また、制御部１００がシャットダウンしてしまう場合がある。
【００３３】
検出回路３７は、省電力モードにある場合に、ＵＳＢコネクター３３２へのＵＳＢデバイス４の接続を検出して、制御部１００に割込信号を出力する。割込信号が入力された制御部１００は、省電力モードにおいて、スイッチ５１をオンする。これにより、ＡＣアダプター７から入力される電力Ｗ１の電源部５０への供給が再開され、ＵＳＢコントローラー３３１に、Ｖ６（５Ｖ）、Ａ１（５００ｍＡ）の電力Ｗ３を含む電力Ｗ４が供給される。
【００３４】
図３は、検出回路３７の構成図である。
検出回路３７は、オペアンプ３８を有するヒステリシスコンパレータにより構成される。オペアンプ３８の非反転入力端子には、抵抗Ｒ５が接続され、オペアンプ３８の反転入力端子には、抵抗Ｒ６が接続される。オペアンプ３８の出力端子と、非反転入力端子との間には、抵抗Ｒ７が接続される。
オペアンプ３８の非反転入力端子に接続した抵抗Ｒ５の反対側の端部には、抵抗Ｒ１とＲ２とを直列に接続した分圧回路４２が接続される。メイン基板１０の電源回路１５から供給される電圧Ｖ２を分圧回路４２で分圧した電圧が、オペアンプ３８の非反転入力端子に供給される。
また、オペアンプ３８の反転入力端子に接続した抵抗Ｒ６の反対側の端部には、抵抗Ｒ３とＲ４とを直列に接続した分圧回路４１が接続される。ＯＲゲート５７の出力する電圧Ｖ７を分圧回路４２で分圧した電圧が、オペアンプ３８の反転入力端子に供給される。また、オペアンプ３８の出力端子は、制御部１００に接続される。
【００３５】
ＯＲゲート５７の出力電圧である電圧Ｖ７は、検出回路３７に供給されるが、例えば、ＤＣ−ＤＣコンバーターのブースト端子等、複数の素子等にも供給される。このため、電圧Ｖ７は、メイン基板１０の電源回路１５から電圧変換等なく入力される電圧Ｖ２よりも低い電圧となる。また、電圧Ｖ７は、高負荷のＵＳＢデバイス４がＵＳＢコネクター３３２に接続されると、複数の素子に電圧が供給される分、電圧Ｖ２よりも先に電圧降下が起こる。
検出回路３７は、メイン基板１０の電源回路１５から入力される電圧Ｖ２を基準電圧（Ｖｔ）として、電圧Ｖ７と基準電圧（Ｖｔ）との差が予め設定された設定値よりも大きくなると、制御部１００に割込信号を出力する。
【００３６】
図４は、制御部１００の動作モードの移行に関する処理手順を示すフローチャートである。図５は、検出回路３７及び電源部５０の動作タイミングを示す図であり、図５（Ａ）は、電圧Ｖ７と、割込信号との電圧変化を示す図である。また、図５（Ｂ）は、Ｖ１電圧と、電圧Ｖ６との変化を示す図である。
通常モードにおいて、制御部１００は、第２通信部３４のＰＨＹ部３４２から第１検出信号が入力されたか否かを判定する（ステップＳ１）。ＰＨＹ部３４２は、ネットワーク５を監視して、予め設定された一定時間、制御データのパケットを受信していない場合、第１検出信号を制御部１００に出力する。制御部１００は、ＰＨＹ部３４２から第１検出信号が入力されていない場合（ステップＳ１／ＮＯ）、ステップＳ１の処理を繰り返す。また、制御部１００は、ＰＨＹ部３４２から第１検出信号が入力されると（ステップＳ１／ＹＥＳ）、検出回路３７から割込信号が入力されたか否かを判定する（ステップＳ２）。制御部１００は、検出回路３７から割込信号が入力されていると判定すると（ステップＳ２／ＹＥＳ）、制御部１００は、この処理フローを終了する。
【００３７】
制御部１００は、検出回路３７から割込信号が入力されていないと判定すると（ステップＳ２／ＮＯ）、スイッチ５１をオフして、省電力モードに移行する（ステップＳ３）。スイッチ５１がオフされることで、電圧Ｖ１の電源部５０への供給が遮断され、システム電源である電圧Ｖ３（３．３Ｖ）の生成に使用される電圧が、電圧Ｖ１（２４Ｖ）から電圧Ｖ２（５Ｖ）に切り替えられる。また、第１通信部３３のＵＳＢコントローラー３３１への電力Ｗ３の供給が停止される。ＵＳＢコントローラー３３１は、メイン基板１０の電源回路１５から供給される電力Ｗ２の電圧Ｖ２を、ＵＳＢコネクター３３２のＶＢＵＳ端子に印加する。また、制御部１００は、省電力モードでは、通常モードのときの動作クロックよりも動作周波数の低い低速クロックにより動作する。
【００３８】
制御部１００は、省電力モードに移行すると、検出回路３７から入力される割込信号を監視する。制御部１００は、検出回路３７から割込信号が入力されると（ステップＳ４／ＹＥＳ）、動作モードを通常モードに移行させるため、電源部５０のスイッチ５１をオンする（ステップＳ６）。制御部１００は、動作クロックを、省電力モードのときの動作クロックよりも動作周波数の高い高速クロックに変更する。
また、制御部１００は、検出回路３７から割込信号が入力されていない場合（ステップＳ４／ＮＯ）、第２通信部３４のＰＨＹ部３４２から第２検出信号が入力されたか否かを判定する（ステップＳ５）。制御部１００は、ＰＨＹ部３４２から第２検出信号が入力されていない場合（ステップＳ５／ＮＯ）、ステップＳ４の処理に戻り、検出回路３７から入力される割込信号を監視する。また、制御部１００は、ＰＨＹ部３４２から第２検出信号が入力された場合（ステップＳ５／ＹＥＳ）、スイッチ５１をオンして、動作モードを通常モードに移行させる（ステップＳ６）。
【００３９】
第１通信部３３のＵＳＢコネクター３３２にＵＳＢデバイス４が接続されると、電圧Ｖ７の値が低下する。図５（Ａ）に示す例では、タイミングＡにおいて、電圧Ｖ７の値が低下する。検出回路３７は、電圧Ｖ７の低下により、基準電圧である電圧Ｖ２と電圧Ｖ７との差が予め設定した設定値よりも大きくなると、制御部１００に割込信号を出力する。制御部１００は、割込信号が入力されると、電源部５０のスイッチ５１をオンする。スイッチ５１がオンすることで、ＯＲゲート５２と第４電圧変換部５６の入力電圧が、ＡＣアダプター７が供給する電力Ｗ１の電圧Ｖ１に上昇する。図５（Ｂ）に示す例では、タイミングＢにおいて、第４電圧変換部５６の入力電圧値が電圧Ｖ１に上昇する。そして、第４電圧変換部５６は、電圧Ｖ６を出力し、ＵＳＢコネクター３３２に電力Ｗ３を含む電力Ｗ４を供給可能とする。図５（Ｂ）に示す例では、タイミングＢよりも遅れたタイミングＣにおいて、電圧Ｖ６に上昇する。
【００４０】
以上説明したように、本実施形態の通信処理部３５は、ＵＳＢコネクター３３２と、電源部５０と、制御部１００とを備える。ＵＳＢコネクター３３２は、ＵＳＢデバイス４への電力供給が可能である。電源部５０は、ＵＳＢコネクター３３２が供給する電力を生成する。制御部１００は、動作モードが通常モードでは、電源部５０が生成する、電力Ｗ３を含む電力Ｗ４をＵＳＢコネクター３３２に供給させ、動作モードが省電力モードでは、電力Ｗ３よりも低電力の電力Ｗ２を電力Ｗ４としてＵＳＢコネクター３３２に供給させる。従って、簡易な構成で、ＵＳＢコネクター３３２への電源供給に対応しながら省電力化を図ることが可能となる。
【００４１】
また、通信処理部３５は、ＵＳＢデバイス４のＵＳＢコネクター３３２への接続を検出する検出回路３７を備える。制御部１００は、省電力モードにおいて、検出回路３７がＵＳＢコネクター３３２へのＵＳＢデバイス４の接続を検出すると、動作モードを省電力モードから通常モードに変更して、電力Ｗ３を含む電力Ｗ４をＵＳＢコネクター３３２に供給させる。従って、接続されたＵＳＢデバイス４に供給する電力が大きく、電力不足により電源部５０がシャットダウンしてしまう前に、電力Ｗ３を含む電力Ｗ４を供給させることができる。
【００４２】
また、通信処理部３５は、電力Ｗ３の生成に使用する電力を電源部５０へ供給及び遮断するスイッチ５１を備える。制御部１００は、省電力モードに移行する際に、スイッチ５１を制御して、ＵＳＢコネクター３３２への電力Ｗ３を遮断する。従って、ＵＳＢデバイス４が省電力モードに移行した場合に、電力Ｗ３の供給が遮断されるので、消費電力を削減することができる。
【００４３】
また、通信処理部３５は、イーサネットの通信を行う第２通信部３４を備える。制御部１００は、省電力モードにおいて、ＵＳＢデバイス４を、ＬＰＩ（Ｌｏｗ Ｐｏｗｅｒ Ｉｄｌｅ）に設定する。従って、ＵＳＢデバイス４の省電力モードにおける消費電力を削減することができる。
【００４４】
また、通信処理部３５は、供給される電圧を降圧して、電力Ｗ３を生成するＤＣ−ＤＣコンバーターを有する第４電圧変換部５６を備える。従って、簡易な構成で、電圧変換を行うことができ、また、電圧変換を高効率で行うことができる。
【００４５】
上述した実施形態は、本発明の好適な実施の形態である。但し、これに限定されるものではなく、本発明の要旨を逸脱しない範囲内で種々の変形実施が可能である。
例えば、上述した実施形態では、第１通信部を、ＵＳＢ規格に準拠した通信部として説明したが、本発明はこれに限定されるものではい。例えば、第１通信部として、接続相手のデバイスに電源の供給が可能なＨＤＭＩ（登録商標）や、ＩＥＥＥ１３９４等に対応した通信装置やデバイスを用いることもできる。
また、本発明の電源装置は、印刷装置だけではなく、例えば、スキャナー装置やハードディスク装置等にも適用可能である。また、印刷装置としては、ドットインパクト式プリンター、インクジェット式プリンター、熱昇華型プリンター、レーザープリンターであってもよく、他の装置に組み込まれるプリンターにも適用可能であって、その適用対象は限定されない。
また、上記実施形態に示した通信処理部３５の各処理をプログラムとして提供することが可能である。更に、そのプログラムをハードディスク、光ディスク、光磁気ディスク、フラッシュメモリー等の記録媒体に格納して提供することも可能である。
【符号の説明】
【００４６】
１…印刷システム、２…印刷装置、３…制御装置、４…外部装置（ＵＳＢデバイス）、７…ＡＣアダプター、１０…メイン基板、１１…主制御部、１２…不揮発性メモリー、１３…バッファメモリー、１４…印刷部、１５…電源回路、１７…ＵＩＢコネクター、３０…サブ基板、３１…電子部品、３３…第１通信部、３４…第２通信部、３５…通信処理部、３７…検出回路（検出部）、５０…電源部、５１…スイッチ、５２…ＯＲゲート、５３…第１電圧変換部、５４…第２電圧変換部、５５…第３電圧変換部、５６…第４電圧変換部、５７…ＯＲゲート、１００…制御部、３３１…ＵＳＢコントローラー、３３２…ＵＳＢコネクター（接続部）、３４１…ＭＡＣ部、３４２…ＰＨＹ部。
【図１】
2016134059.tif 000003
【図２】
2016134059.tif 000004
【図３】
2016134059.tif 000005
【図４】
2016134059.tif 000006
【図５】
2016134059.tif 000007